(57)【特許請求の範囲】
【請求項１】
ＩＣカードの情報を読み取るカードリーダであって、
筺体と、
前記筺体内に設けられ、前記ＩＣカードとの間で通信を行うための第１のアンテナと、
前記第１のアンテナの通信範囲に入った前記ＩＣカードとの間で前記通信を行なって、前記ＩＣカードの有するメモリからデータを受け取る処理を少なくとも行なう制御部と、
前記筺体に設けられ、第２のアンテナを有するＲＦタグを備え、所定の条件が満たされたときに、前記ＲＦタグが前記第２のアンテナおよび前記第１のアンテナを介して前記制御部と通信することで、所定の機能を実現するスイッチとして機能するスイッチ部と、
を備え、
前記スイッチ部は、
人によって操作されうる操作部を有し、前記操作部が操作されたことが、前記所定の条件であり、
前記操作部と前記第２のアンテナとを、前記筺体上であって前記第１のアンテナのメインローブの範囲内に有する、
カードリーダ。
【請求項２】
請求項１に記載のカードリーダであって、
前記スイッチ部は、
前記第１のアンテナから送られてくる信号を前記第２のアンテナによって受信することによって発生する電力により、前記ＲＦタグを起動する、カードリーダ。
【請求項３】
請求項１または請求項２に記載のカードリーダであって、
前記スイッチ部は、
前記所定の条件が満たされていないときに、前記第２のアンテナを前記第１のアンテナの動作周波数において非共振状態に維持し、前記所定の条件が満たされたときに、前記第２のアンテナを前記第１のアンテナの動作周波数において共振状態に移行させる、カードリーダ。
【請求項４】
請求項１から請求項３までのいずれか一項に記載のカードリーダであって、
前記筺体は、カバーを備え、
前記スイッチ部は、前記カバーに取り付けられた、カードリーダ。
【発明の詳細な説明】
【技術分野】
【０００１】
本発明は、ＩＣカードの情報を読み取るカードリーダに関する。
【背景技術】
【０００２】
従来、オフィス、倉庫、病院などの施設への入退室に非接触型ＩＣカードを用いた入退室管理システムが知られている（例えば、特許文献１）。この入退室管理システムによれば、利用者は、扉付近に設置したカードリーダに非接触型ＩＣカードを近づけるだけで、無線交信によって即座に個人が識別され、電気錠が開錠して、入室が可能となる。
【０００３】
さらに、上記の入退室管理システムにおいて、カードリーダの正面に押しボタンスイッチを設けたものが知られている。押しボタンスイッチは、機能の向上を図るためのものであり、例えば、警備機器に連動する「警備」を指定するためのスイッチとして機能する。利用者は、押しボタンスイッチを押し、非接触型ＩＣカードを近づけることで、警備開始を指定することができる。
【先行技術文献】
【特許文献】
【０００４】
【特許文献１】特開２００３−６５７８号公報
【発明の概要】
【発明が解決しようとする課題】
【０００５】
上記従来技術におけるカードリーダでは、押しボタンスイッチの取付位置を変えたり、押しボタンスイッチを新たに追加するなど、顧客毎のユーザビリティに対するニーズに答えるため、設計変更のカスタム対応が少なくない。この設計変更に際し、筺体構造やボタン用内部配線などを変更する必要があるが、それには筐体の強度、防水性、カード読取性能（読取距離や通信成功率）までも再設計を行う必要があり、設計変更が容易でないという課題があった。
【課題を解決するための手段】
【０００６】
本発明は、上述の課題の少なくとも一部を解決するためになされたものであり、以下の形態として実現することが可能である。
本発明の一形態は、ＩＣカードの情報を読み取るカードリーダであって、
ＩＣカードの情報を読み取るカードリーダであって、
筺体と、
前記筺体内に設けられ、前記ＩＣカードとの間で通信を行うための第１のアンテナと、
前記第１のアンテナの通信範囲に入った前記ＩＣカードとの間で前記通信を行なって、前記ＩＣカードの有するメモリからデータを受け取る処理を少なくとも行なう制御部と、
前記筺体に設けられ、第２のアンテナを有するＲＦタグを備え、所定の条件が満たされたときに、前記ＲＦタグが前記第２のアンテナおよび前記第１のアンテナを介して前記制御部と通信することで、所定の機能を実現するスイッチとして機能するスイッチ部と、
を備え、
前記スイッチ部は、
人によって操作されうる操作部を有し、前記操作部が操作されたことが、前記所定の条件であり、
前記操作部と前記第２のアンテナとを、前記筺体上であって前記第１のアンテナのメインローブの範囲内に有する、
カードリーダである。
また、本発明は、以下の形態として実現することも可能である。
【０００７】
（１）本発明の一形態は、ＩＣカードの情報を読み取るカードリーダである。このカードリーダは；筺体と；前記筺体内に設けられ、前記ＩＣカードとの間で通信を行うための第１のアンテナと；前記第１のアンテナの通信範囲に入った前記ＩＣカードとの間で前記通信を行なって、前記ＩＣカードの有するメモリからデータを受け取る処理を少なくとも行なう制御部と；前記筺体に設けられ、第２のアンテナを有するＲＦタグを備え、所定の条件が満たされたときに、前記ＲＦタグが前記第２のアンテナおよび第１のアンテナを介して前記制御部と通信することで、所定の機能を実現するスイッチとして機能するスイッチ部と；を備えることを特徴としている。この形態のカードリーダによれば、筺体にスイッチ部を取り付けるだけで、ＲＦタグによる制御部との間の通信によって、所定の機能を実現するスイッチとしての機能を実現することができる。スイッチ部と制御部との間は、ＲＦタグによる無線によって通信されることから、筺体にスイッチ部を取り付けるに際して、内部配線を変更することや、配線のために筺体に孔を開ける等の筺体構造を変更することが不要となる。このために、この形態のカードリーダによれば、スイッチ部の取付位置を変えたり、スイッチ部を新たに追加するなどの設計変更を容易に行うことができる。
【０００８】
（２）上記形態のカードリーダにおいて、前記スイッチ部は、少なくとも前記第２のアンテナを、前記第１のアンテナのメインローブの範囲内に備えていてもよい。一般にメインローブは出力される磁界の中で一番大きな放射角度を有する磁界であることから、この構成によれば、最大の第２のアンテナ設置可能領域を得ることができる。配置の自由度は設置可能領域が増えることに比例して上がることから、筐体構造による設置制限を相殺することも可能になり、第２のアンテナひいてはスイッチ部の配置が容易になる。また、メインローブの範囲内は、電子部品的空白地帯であるため、そこに第２のアンテナを配置することは、筺体全体の省スペース化を図ることができる。
【０００９】
（３）上記形態のカードリーダにおいて、前記スイッチ部は、前記第１のアンテナから送られてくる信号を前記第２のアンテナによって受信することによって発生する電力により、前記ＲＦタグを起動してもよい。この構成によれば、パッシブ型のＲＦタグとすることができ、スイッチ部の内部に電源を設ける必要がないことから、スイッチ部をコンパクト化することができる。
【００１０】
（４）上記形態のカードリーダにおいて、前記スイッチ部は、前記所定の条件が満たされていないときに、前記第２のアンテナを前記第１のアンテナの動作周波数において非共振状態に維持し、前記所定の条件が満たされたときに、前記第２のアンテナを前記第１のアンテナの動作周波数において共振状態に移行させるようにしてもよい。この構成によれば、所定の条件が満たされていないときには、第２アンテナは第１のアンテナの動作周波数において非共振状態に維持されることから、第２アンテナは第１のアンテナによる読み取りの際の障害とはならない。このために、第１のアンテナは、ＩＣカードとの間の通信を高い確実性でもって行うことができる。また、所定の条件が満たされたときには、スイッチ部との間の通信も高い確実性でもって行うことができる。したがって、ＩＣカードに対する通信、スイッチ部に対する通信を共に高い確実性でもって行うことができる。
【００１１】
（５）上記形態のカードリーダにおいて、前記スイッチ部は、人によって操作されうる操作部を有し、前記操作部が操作されたときを、前記所定の条件が満たされたときと判断するようにしてもよい。この構成によれば、人によって操作されうる操作部についての前記設計変更を容易に行うことができる。人によって操作されうる操作部は、カードリーダの目的や設置場所によって望ましいインタフェースへの要望（操作部の配置位置や個数など）が多様であるため、設計変更を容易に出来ることの利点は大きい。
【００１２】
（６）上記形態のカードリーダにおいて、前記筐体は、カバーを備え、前記スイッチ部は、前記カバーに取り付けられていてもよい。この構成によれば、スイッチ部の位置を変える設計変更が必要になったときに、カバーごと入れ替えることで、上記の設計変更を行うことができる。このために、設計変更をより容易に行うことができる。
【００１３】
なお、本発明は、種々の形態で実現することが可能である。例えば、前記形態のカードリーダを含む警備システムで実現することができる。
【図面の簡単な説明】
【００１４】
【図１】本発明の第１実施形態としてのカードリーダを示す説明図である。
【図２】装置本体にＩＤカードを密着した状態のカードリーダの正面を示す説明図である。
【図３】押しボタンスイッチの内部構成を示す説明図である。
【図４】アンテナコイルがＯＮされた場合に実行されるＲＦタグとＩＣチップとの間の通信原理を示す説明図である。
【図５】装置本体のＩＣチップにおいて実行されるタグ情報読取処理を示すフローチャートである。
【図６】参考例の部分断面側面図である。
【図７】本発明の第２実施形態としてのカードリーダを示す説明図である。
【図８】本発明の第３実施形態としてのカードリーダを示す部分断面側面図である。
【図９】本発明の第４実施形態としてのカードリーダが備える温度スイッチの内部構成を示す説明図である。
【発明を実施するための形態】
【００１５】
次に、本発明の実施形態を説明する。
Ａ．第１実施形態：
Ａ−１．全体構成：
図１は、本発明の第１実施形態としてのカードリーダを示す説明図である。図１（ａ）には正面図を示し、図１（ｂ）には部分断面側面図を示した。カードリーダ１０は、図示しないＩＤカードの情報を読み取るための装置であり、本実施形態では、例えばオフィスへの入退室を管理する入退室管理システムの一部を構成する。ＩＤカードは、オフィスの従業員が所持を義務付けられた個人認証用の非接触型ＩＣカードである。
【００１６】
図１に示すように、カードリーダ１０は、装置本体２０と、カバー４０と、押しボタンスイッチ５０とを備える。
【００１７】
装置本体２０は、正面側板部２０ａと側面側板部２０ｂと背面側板部２０ｃとからなる箱形状であり、背面側板部２０ｃを壁に接するようにして、オフィスの入退室ドアの近傍に取り付けられている。装置本体２０の内部には、ＩＣチップ２２が実装された回路基板２４と、回路基板２４に接続されたループアンテナ（アンテナコイル）２６とが備えられている。ＩＣチップ２２は、データを記憶するメモリと、ＣＰＵと、データの変復調等を行う無線部と有する。無線部に回路基板２４を介してループアンテナ２６が接続される。ループアンテナ２６は、正面側板部２０ａに向かい合って配置されている。なお、「向かい合って」とは、ループアンテナ２６のループ面が向かい合うことで、ループ面と正面側板部２０ａとは、平行もしくは略平行となるように配置される。また、平行もしくは略平行となる配置に換えて、ループ面と正面側板部２０ａとのなす角が１３５度から２２５度までの範囲内としてもよい。
【００１８】
カバー４０は、装置本体２０の正面側板部２０ａと側面側板部２０ｂの一部とを覆うように、装置本体２０に装着されている。カバー４０の正面４０ａに、ＩＤカードの読取エリアＲＡ（図１（ｂ））が形成される。読取エリアＲＡは、ループアンテナ２６の通信範囲に対応する領域であり、ループアンテナ２６のメインローブＭＬの範囲と、サイドローブＳＬの範囲の少なくとも一部と、を含む。なお、読取エリアＲＡは、便宜上に記したものであり、実際は真四角でもないし、読取可否の境界を厳密に区分するものでもない。また、本実施形態では、ループアンテナ２６のループ面と正面側板部２０ａとが、平行もしくは略平行となるように配置されているが、必ずしもこれらの配置に限る必要はなく、ループアンテナ２６は、正面側板部２０ａの付近に設けられて、正面側板部２０ａに対応したカバー４０の正面４０ａにＩＤカードの読取エリアＲＡを形成することができれば、いずれの配置とすることもできる。
【００１９】
Ａ−２．ＩＤカードの構成：
図２は、装置本体２０にＩＤカード７０を密着した状態のカードリーダ１０の正面を示す説明図である。ＩＤカード７０は、利用者によって入退室の際に、カードリーダ１０の読取エリアＲＡに密着または近接される。ＩＤカード７０としての非接触型ＩＣカードは、内部に、ＩＣチップ７２と、ＩＣチップ７２に接続されるアンテナコイル７４とを備える。カードリーダ１０は、ループアンテナ２６（図１）の通信範囲に入ったＩＤカード７０との間でループアンテナ２６およびアンテナコイル７４を介して通信を行い、ＩＤカード７０のＩＣチップ７２内のメモリからデータの読み出しを行う。なお、本実施形態では、ＩＤカード７０に対してはデータの読み出しだけを行う構成としたが、これに換えて、データの読み出しに加えて、ＩＣチップ７２内のメモリへのデータの書き込みを行う構成としてもよい。
【００２０】
上記読み出しを行うデータは、本実施形態では、個人を認証する認証データである。入退室管理システムは、カードリーダ１０によってＩＤカード７０から読み出した認証データが、予め登録された認証比較用データと一致するか否かを判定し、一致する場合に、オフィスへ入退室するドアの解錠を行う。
【００２１】
Ａ−３．押しボタンスイッチの構成：
図１に戻って、カードリーダ１０は、前述したように、押しボタンスイッチ５０を備える。押しボタンスイッチ５０は、カバー４０の正面４０ａに形成された読取エリアＲＡにおけるループアンテナ２６のメインローブＭＬの範囲内に、両面テープによって貼り付けられている。なお、両面テープに換えて、接着剤、ボルト止め等の他の手法によって取り付けられる構成としてもよい。押しボタンスイッチ５０は、本実施形態では、警備機器に連動する「警備」を指定するためのものである。
【００２２】
本実施形態において、正面側板部２０ａと側面側板部２０ｂと背面側板部２０ｃとからなるケース部分に加えてカバー４０が、［発明の概要］の欄に記載した本発明の一形態における「筺体」に相当する。すなわち、装置本体２０のケース部分に他の部材が付設されているような場合には、本発明においては、その部材も筺体の一部に該当するものとする。なお、本実施形態では、カバー４０を備える構成としたが、これに換えて、カバー４０が装着されていない構成とし、押しボタンスイッチ５０を装置本体２０の正面側板部２０ａに直接取り付ける構成としてもよい。
【００２３】
図３は、押しボタンスイッチ５０の内部構成を示す説明図である。押しボタンスイッチ５０は、内部に、ＩＣチップ５２と、アンテナコイル５４と、スイッチ本体５６とを備える。
【００２４】
アンテナコイル５４は、平面内においてコイル状に巻回した面ループ状の形態であり、ＩＣチップ５２と接続されている。アンテナコイル５４は、棒状、パッチ状、スロット状、螺旋状、パターン状等の様々な形態のアンテナに換えることもできる。
【００２５】
ＩＣチップ５２は、ＣＰＵ５２ａ、メモリ５２ｂ、無線部５２ｃ、および電源整流部５２ｄ等を備える。無線部５２ｃは、復調を行う受信部と、変調を行う送信部とを有する。電源整流部５２ｄは、電磁誘導方式により発生した電力を整流する。ＣＰＵ５２ａは、復調・変調を制御する処理や、メモリ５２ｂからタグ情報を読み出す処理等を行う。メモリ５２ｂには、タグ情報として、個体を識別する識別データや、押しボタンスイッチであることを示す種別データ等が予め記憶されている。ＩＣチップ５２とアンテナコイル５４とによって、ＲＦタグ（radio frequency）５１が構成される。
【００２６】
スイッチ本体５６は、アンテナコイル５４の途中に組み込まれ、押しボタンスイッチ５０の有するボタン形状の操作部５８（図１（ａ））に対する利用者による押圧操作と連動して、アンテナコイル５４をＯＮ（回路が閉じた状態）したり、ＯＦＦ（回路が開いた状態）したりする。本実施形態では、スイッチ本体５６は、メンブレンスイッチとしたが、これに換えて、リードスイッチ、マイクロスイッチ、圧電スイッチ、メンブレンスイッチ以外の導電ゴムスイッチ等としてもよい。なお、操作部５８の高さｈ（図１（ｂ）は、低い方が好ましく、押しボタンとしての機能を損ねることなく、かつ、読取エリアＲＡに対して密着または近接されるＩＤカードの読み取りに支障をきたすことのない高さとなっている。押しボタンスイッチ５０は、初期状態ではアンテナコイル５４はＯＦＦに保たれており、押圧操作を行うとアンテナコイル５４はＯＮされる。これに換えて、初期状態ではアンテナをＯＮに保ち、押圧操作を行うとアンテナコイル５４はＯＦＦされる構成としてもよい。また、スイッチ本体５６は、アンテナコイル５４の途中に組み込まれた構成に換えて、ＩＣチップ５２内に組み込むことで、アンテナコイル５４による送受信をＯＮ／ＯＦＦする構成としてもよい。
【００２７】
図４は、アンテナコイル５４がＯＮされた場合に実行されるＲＦタグ５１とＩＣチップ２２との間の通信原理を示す説明図である。なお、本実施形態におけるＲＦタグ５１は、カードリーダ１０からの信号をエネルギー源として動作するパッシブ型のタグである。装置本体２０の有するＩＣチップ２２は、ループアンテナ２６を介して信号を磁界に乗せて送信する（工程Ｓ１）。次いで、押しボタンスイッチ５０のＲＦタグ５１は、ループアンテナ２６からの磁界をアンテナコイル５４を介して受信する（工程Ｓ２）。そうすると、ＲＦタグ５１のアンテナコイル５４はループアンテナ２８の動作周波数において共振状態となり、ＲＦタグ５１のアンテナコイル５４に電力が発生する（工程Ｓ３）。続いて、ＲＦタグ５１のＩＣチップ５２は、発生した電力により、ＩＣチップ５２に備えられるＣＰＵ５２ａおよびメモリ５２ｂ（図３）を動作させ（すなわち、起動し）、必要な処理を行う（工程Ｓ４）。
【００２８】
続いて、ＩＣチップ５２は、ＲＦタグ５１内のデータを磁界に乗せてアンテナコイル５４から返信する（工程Ｓ５）。その後、装置本体２０の有するループアンテナ２６で、ＲＦタグ５１からの磁界を受信し（工程Ｓ６）、装置本体２０の有するＩＣチップ２２で、磁界からデータを取り出す（工程Ｓ７）。以上のようにして、アンテナコイル５４がＯＮされた場合には、押しボタンスイッチ５０に備えられるＲＦタグ５１と装置本体２０の有するＩＣチップ２２との間で通信が行われ、ＲＦタグ５１と装置本体２０の有するＩＣチップ２２は、データの送受信を互いに行うことができる。なお、前述したように、本実施形態では電磁誘導方式によって情報の伝達を行っていたが、これに換えて、電波方式によって伝達を行う構成としてもよい。
【００２９】
本実施形態において、ループアンテナ２６が［発明の概要］の欄に記載した本発明の一形態における「第１のアンテナ」に相当し、ＩＣチップ２２が前記一形態における「制御部」に相当し、押しボタンスイッチ５０が前記一形態における「スイッチ部」に相当し、押しボタンスイッチ５０が備えるアンテナコイル５４が前記一形態における「第２のアンテナ」に相当する。
【００３０】
Ａ−４．タグ情報読取処理：
図５は、装置本体２０のＩＣチップ２２において実行されるタグ情報読取処理を示すフローチャートである。このタグ情報読取処理は、ＩＣチップ２２に備えられるＣＰＵにおいて、所定時間毎に繰り返し実行される。処理が開始されると、ＣＰＵは、まず、装置本体２０の有するループアンテナ２６を介してタグ補足信号を送信する（ステップＳ１１０）。「タグ補足信号」とは、ループアンテナ２６の通信範囲に入ったＲＦタグを捕捉するための信号であり、通信範囲にＲＦタグが存在する存在しないに関わらず、タグ補足信号を送信する。ここで言う「ＲＦタグ」は、押しボタンスイッチ５０に含まれる前述したＲＦタグ５１は勿論のこと、ＩＤカード７０である非接触型ＩＣカードを含む一般的な概念であり、ステップＳ１１０では、ループアンテナ２６の通信範囲に押しボタンスイッチ５０のＲＦタグ５１やＩＤカード７０が存在するか否かを判定するためにタグ捕捉信号を送信する。
【００３１】
押しボタンスイッチ５０の操作部５８（図１）が押圧操作されて、押しボタンスイッチ５０のアンテナコイル５４がＯＮとなっている場合、ループアンテナ２６（図１）の通信範囲に押しボタンスイッチ５０のＲＦタグ５１が存在することとなり、図４で既述した原理に従って、そのＲＦタグ５１と装置本体２０のＩＣチップ２２との間で通信が行われる。この通信によって、ＲＦタグ５１は、アンテナコイル５４およびループアンテナ２６を介して、受信した旨を示す信号（以下、「受取信号」と呼ぶ）を装置本体２０のＩＣチップ２２に返す。一方、押しボタンスイッチ５０の操作部５８が押圧操作されずに、アンテナコイル５４が非導通状態となっている場合には、ループアンテナ２６から送信される電波を受信することができないことから、ＲＦタグ５１は、ＩＣチップ２２に対して受取信号を返すことはない。
【００３２】
また、読取エリアＲＡにＩＤカード７０が密着または近接されて、ループアンテナ２６の通信範囲にＩＤカード７０が存在する場合、図４と同じ原理で、ＩＤカード７０と装置本体２０のＩＣチップ２２との間で通信が行われることになる。この通信によって、ＩＤカード７０のＩＣチップ７２は、アンテナコイル７４およびループアンテナ２６を介して、受取信号を装置本体２０のＩＣチップ２２に返す。
【００３３】
ステップＳ１１０に続くステップＳ１２０では、ＣＰＵは、押しボタンスイッチ５０のＲＦタグ５１やＩＤカード７０から、受取信号を受けたか否かを判定する。ここで、受取信号を受けていないと判定された場合に、「リターン」に抜けて、このタグ情報読取処理を一旦終了する。
【００３４】
一方、ステップＳ１２０で、ＲＦタグ５１やＩＤカード７０から受取信号を受けたと判定されると、ＣＰＵは、受取信号を受けたＲＦタグ、すなわち、押しボタンスイッチ５０のＲＦタグ５１またはＩＤカード７０に対して、情報読取信号を送信する（ステップＳ１３０）。なお、複数のＲＦタグ、すなわち、押しボタンスイッチ５０のＲＦタグ５１とＩＤカード７０との双方から受取信号を受けたと判定された場合には、受信信号を先に受けたＲＦタグを「受取信号を受けたＲＦタグ」と扱う。あるいは、双方から受取信号を受けたと判定された場合には、予め定めた一方側、例えば押しボタンスイッチ５０のＲＦタグ５１を「受取信号を受けたＲＦタグ」と扱う構成としてもよい。
【００３５】
続いて、ＣＰＵは、受取信号を受けたＲＦタグから、タグ情報としてのデータを受信する処理を行う（ステップＳ１４０）。詳しくは、受取信号を受けたＲＦタグが押しボタンスイッチ５０のＲＦタグ５１である場合には、ＩＣチップ５２のメモリ５２ｂから、先に説明したタグ識別情報としての識別データと種別データとを受信する。受取信号を受けたＲＦタグがＩＤカード７０である場合には、ＩＣチップ５２のメモリ５２ｂから、同様に識別データと種別データとを受信する。
【００３６】
その後、ＣＰＵは、ステップＳ１４０によって受信した種別データが、「押しボタンスイッチ」と「ＩＤカード」のうちのいずれを示すものであるかを判定し（ステップＳ１５０）、「押しボタンスイッチ」であると判定された場合には、予め用意されたボタンスイッチＯＮフラグに値１をセットする（ステップＳ１６０）。ボタンスイッチＯＮフラグは、押しボタンスイッチ５０がＯＮされたことを示すもので、ＩＣチップ５２のメモリ５２ｂに記憶されている。なお、ステップＳ１６０において、ステップＳ１４０によって受信した識別データが予め登録された登録データと一致するか否かを判別し、一致する場合に限り、ボタンスイッチＯＮフラグに値１をセットするようにしてもよい。こうすることで、押しボタンスイッチ５０に換えて別なボタンスイッチが取り付けられることによる不正を防止することができる。
【００３７】
一方、ステップＳ１５０によって種別データが「ＩＤカード」と判定された場合には、ＩＤカード７０に記憶された認証データを読み取る処理を行う（ステップＳ１７０）。ステップＳ１６０またはステップＳ１７０の実行後、ＣＰＵは、「リターン」に抜けて、このタグ情報読取処理を一旦終了する。
【００３８】
ステップＳ１７０によって読み取った認証データは、別ルーチンによって実行される個人認証処理で用いられることになる。個人認証処理によれば、前記認証データを予め登録されたデータと比較することで個人の認証を行う。認証が成立した場合に扉の解錠等がなされる。
【００３９】
一方、ステップＳ１６０によってボタンスイッチＯＮフラグが値１にセットされた場合には、別ルーチンによって警備機器による警備状態へ移行する処理を行う。なお、ボタンスイッチＯＮフラグが値１である場合に直ちに警備状態へ移行することも可能であるが、本実施例では、ボタンスイッチＯＮフラグが値１にセットされてから所定の期間の間に、ＩＤカード７０による前述した認証が成立した場合に、警備状態へ移行する。ボタンスイッチＯＮフラグが値１にセットされてから所定の期間の間に認証が成立しなかった場合には、警備状態への移行は行わない。
【００４０】
Ａ−５．実施形態効果：
以上、詳述したように、本実施形態のカードリーダ１０によれば、装置本体２０のカバー４０に押しボタンスイッチ５０を取り付けるだけで、押しボタンスイッチ５０のＲＦタグ５１による装置本体２０のＩＣチップ２２との通信によって、警備状態へ移行するスイッチとしての機能を実現することができる。このために、カードリーダ１０によれば、押しボタンスイッチ５０の取付位置を変える設計変更を容易に行うことができる。
【００４１】
図６は、参考例の部分断面側面図である。この参考例のカードリーダ１１０では、押しボタンスイッチ１５０は、単なる押しボタンであり、第１実施形態のようにＲＦタグを備える構成ではなく、ケーブル１５２によって回路基板１２４に接続されている。このため、参考例によれば、押しボタンスイッチ１５０の取り付け位置を他の位置に変更しようとする場合、ボタン用の孔１６０の位置、ケーブル１５２の位置、ケーブル１５２を回路基板１２４に接続する部品１６２の位置などを変更する必要がある。したがって、参考例によれば、押しボタンスイッチ１５０の取り付け位置についての設計変更が容易ではない。これに対して、第１実施形態のカードリーダ１０は、押しボタンスイッチ５０と装置本体２０のＩＣチップ２２との間を有線にて接続している訳ではないので、上記の様々な位置変更が不要となり、押しボタンスイッチ１５０の取り付け位置を変える設計変更が容易である。
【００４２】
また、参考例のカードリーダ１１０では、ボタン用の孔１６０からの水の浸入を防止するために、カバー１４０と押しボタンスイッチ１５０との間にゴムパッキン１７０を設ける必要があった。これに対して、本実施形態のカードリーダ１０では、押しボタンスイッチ５０を取り付けの際に、カバー１４０や装置本体１２０に孔を開ける必要がないことから、防水対策が容易であるという効果も奏する。また、参考例のカードリーダ１１０では、押しボタンスイッチ１５０と回路基板１２４との間がケーブル１５２によって接続されていることから、カバー１４０の取り外しが困難であった。これに対して、本実施形態のカードリーダ１０では、カバー４０の取り外しが容易であるという効果も奏する。本実施形態のカードリーダ１０では、カバー４０ごと取り替えることによっても、押しボタンスイッチ５０の取付位置を変えることができる。
【００４３】
さらに、本実施形態のカードリーダ１０によれば、押しボタンスイッチを１つから２以上に増加する等の、押しボタンスイッチを新たに追加する設計変更も容易に行うことができる。
【００４４】
さらに、本実施形態のカードリーダ１０によれば、押しボタンスイッチ５０は、ＩＤカード７０の読取エリアＲＡ内に設けられていることから、次のような効果も奏する。
【００４５】
読取エリアＲＡは、ＩＤカード７０との間の通信を高い確実性でもって行うことができ、この読取エリアＲＡ内に押しボタンスイッチ５０が設けられることから、押しボタンスイッチ５０との間の通信も高い確実性でもって行うことができる。その上、押しボタンスイッチ５０が押圧操作されていないときには、押しボタンスイッチ５０のアンテナコイル５４はＯＦＦに保たれループアンテナ２６の動作周波数において非共振状態に維持されることから、アンテナコイル５４は電波からみれば存在しないものとなり、ＩＤカード７０の読み取りの際の障害とはならない。したがって、ＩＤカード７０に対する通信、押しボタンスイッチ５０に対する通信を共に高い確実性でもって行うことができる。さらに、カードリーダ１０によれば、図６の参考例のように読取エリアの外側にスイッチ部が配置される訳ではないので、装置サイズをコンパクト化することができる。
【００４６】
Ｂ．第２実施形態：
図７は、本発明の第２実施形態としてのカードリーダを示す説明図である。図７（ａ）には正面図を示し、図７（ｂ）には部分断面側面図を示した。第２実施形態におけるカードリーダ２１０は、第１実施形態におけるカードリーダ１０と比べて、装置本体２２０およびカバー２４０の縦方向のサイズが大きい点と、押しボタンスイッチ２５０の構成とが異なる。また、押しボタンスイッチ２５０の相違に伴って、カバー２４０の構成も一部変わっている。
【００４７】
押しボタンスイッチ２５０は、第１実施形態と同様に、ＩＣチップと、アンテナコイルと、スイッチ本体とによって構成されるが、第１実施形態における押しボタンスイッチ５０と比較して、アンテナコイル２５４が、ＩＣチップとスイッチ本体と操作部とを有する本体部２５８から分離している点が相違する。
【００４８】
アンテナコイル２５４は、カバー２４０の正面２４０ａの所定位置に埋設されており、電線２５９によって本体部２５８に電気的に接続されている。前記所定位置は、読取エリアＲＡにおける、装置本体２２０の有するループアンテナ２２６のメインローブの範囲内である。なお、ＲＦタグに含まれるアンテナコイル２５４は、極めて薄く作る事が可能であるため、カバー２４０の厚みの中に収納することが可能である。
【００４９】
装置本体２２０は、第１実施形態における装置本体２０と比べて、筺体の縦方向のサイズが大きい点だけが相違し、内部機器であるＩＣチップ２２、回路基板２４、およびループアンテナ２６は同一である。これにより、装置本体２２０の内側の上部には、アンテナ２６等の内部機器が存在しない空間が存在し、アンテナ２６の読取エリアＲＡは、図７（ｂ）に示すように下側に少しだけ偏っている。
【００５０】
カバー２４０は、第１実施形態におけるカバー４０と比べて、装置本体２２０のサイズに合わせて縦方向のサイズが大きい点と、アンテナコイル２５４および電線２５９が埋設されている点とが相違するが、機能的にはカバー４０と同一である。カバー２４０における、読取エリアＲＡの外側上方に本体部２５８が配設されている。すなわち、第２実施形態におけるカードリーダ２１０では、押しボタンスイッチ２５０のアンテナコイル２５４は、読取エリアＲＡにおけるループアンテナ２２６のメインローブの範囲内に設けられており、押しボタンスイッチ２５０の残余の構成であるスイッチ本体とＩＣチップとは、読取エリアＲＡの外側に設けられている。
【００５１】
以上のように構成された第２実施形態におけるカードリーダ２１０によれば、第１実施形態と同様に、装置本体２２０のカバー２４０に押しボタンスイッチ２５０を取り付けるだけで、押しボタンスイッチ５０と装置本体２２０との通信によってスイッチとしての機能を実現することができる。したがって、カードリーダ２１０によれば、第１実施形態と同様に、押しボタンスイッチ２５０の取付位置を変えたり、押しボタンスイッチを新たに追加するなどの設計変更を容易に行うことができる。また、第１実施形態と同様に、防水対策の点でも優れている。さらに、第２実施形態におけるカードリーダ２１０によれば、押しボタンスイッチ５０における人が操作する操作部５８を読取エリアＲＡと分離して配置することができることから、操作部５８の取り付け位置の自由度が高い。
【００５２】
なお、本実施形態では、押しボタンスイッチ２５０の本体部２５８は、カバー２４０の正面２４０ａにおける読取エリアＲＡの外側に配設されていたが、これに換えて、カバー２４０の側面２４０ｂに本体部２５８を設ける構成としてもよい。
【００５３】
Ｃ．第３実施形態：
図８は、本発明の第３実施形態としてのカードリーダを示す部分断面側面図である。第３実施形態におけるカードリーダ３１０は、例えば、ＳＵＩＣＡ（登録商標）のチャージ機などに見られるＩＣカードを差し込むタイプのものである。図示するように、ポケット型の差し込み口３６０が設けられており、この差し込み口３６０にＩＣカード３７０が差し込まれる。この差し込み口３６０の前側の壁面３６２に、第１実施形態と同一構成の押しボタンスイッチ５０が設けられている。
【００５４】
また、カードリーダ３１０は、第１実施形態と同一構成の装置本体２０を備える。本実施形態においても、押しボタンスイッチ５０は、壁面３６２におけるループアンテナ２６のメインローブの範囲内に取り付けられている。ＩＣカード３７０が差し込まれている場合においても、押しボタンスイッチ５０と装置本体２０との間は通信可能となっている。
【００５５】
以上のように構成された第３実施形態におけるカードリーダ３１０は、第１実施形態のカードリーダ１０と同様に、押しボタンスイッチ５０の取付位置を変えたり、押しボタンスイッチを新たに追加するなどの設計変更を容易に行うことができる。
【００５６】
Ｄ．第４実施形態：
図９は、本発明の第４実施形態としてのカードリーダが備える温度スイッチの内部構成を示す説明図である。第４実施形態における温度スイッチ４５０は、第１実施形態における押しボタンスイッチ５０と対応する構成要素であり、第４実施形態におけるカードリーダは、この温度スイッチ４５０以外に、第１実施形態と同一の装置本体とカバーとを備える。
【００５７】
図示するように、温度スイッチ４５０は、第１実施形態における押しボタンスイッチ５０と比べて、操作部５８（図１）に換えてバイメタル４５８を備える点が異なる。バイメタル４５８は、温度スイッチ４５０の表面から露出して配置されており、温度検知部として機能する。なお、温度スイッチ４５０のカバーに対する取り付け位置は、第１実施形態における押しボタンスイッチ５０の取り付け位置と同一である。また、温度スイッチ４５０は、第１実施形態における押しボタンスイッチ５０と同様に、ＩＣチップ５２とアンテナコイル５４とを備える。ＩＣチップ５２とアンテナコイル５４は、第１実施形態と同一であるので、図示においては同一の符号を付けた。スイッチ本体４５６は、アンテナコイル５４の途中に組み込まれ、バイメタル４５８の形状変化と連動して、アンテナコイル５４をＯＮしたり、ＯＦＦしたりする。
【００５８】
上記の構成のカードリーダによれば、温度スイッチ４５０の周囲の温度が所定値以上となったときに、バイメタル４５８が湾曲変形して、アンテナコイル５４をＯＮする。温度スイッチ４５０の周囲の温度が所定値を下回ると、バイメタル４５８の湾曲が戻って、アンテナコイル５４をＯＦＦする。
【００５９】
以上のように構成した第４実施形態のカードリーダによれば、装置本体のカバーに温度スイッチ４５０を取り付けるだけで、温度スイッチ４５０のＲＦタグ５１による装置本体との通信によって、火災報知システムへ火災発生を知らせるスイッチとしての機能を実現することができる。したがって、第４実施形態のカードリーダによれば、温度スイッチ４５０の取付位置を変えたり、押しボタンスイッチを新たに追加するなどの設計変更を容易に行うことができる。なお、第４実施形態は、第１実施形態において操作部５８をバイメタル４５８に換えた構成であるが、これに換えて、第２実施形態および第３実施形態において操作部をバイメタル４５８に換える構成としてもよい。
【００６０】
Ｅ．変形例：
この発明は上記の第１ないし第４実施形態やそれらの変形例に限られるものではなく、その要旨を逸脱しない範囲において種々の態様において実施することが可能であり、例えば次のような変形も可能である。
【００６１】
・変形例１
第１ないし第３実施形態では、スイッチ部が人によって操作され得る操作部を有し、操作部が操作されたときを、所定の条件が満たされたと判断する構成とした。また、第４実施形態では、スイッチ部が温度検知部を有し、温度検知部の検出結果が所定値以上となったときを、所定の条件が満たされたと判断する構成とした。これらに換えて、本発明は、例えば次の例とすることができる。第１の例として、スイッチ部が時計を有し、時計が所定の時間帯を指すときに、所定の条件が満たされたときと判断する構成としてもよい。この第１の例によれば、所定の時間帯だけＩＣカードによる入室を許可する構成とする設計変更を容易に行うことができる。第２の例としては、指を触れるだけで測定可能な指式の血圧計をスイッチ部が有し、血圧計の計測値が所定値以下のときにＩＣカードによる入室を許可する構成としてもよい。この第２の例によれば、血圧が低いときに限り、ＩＣカードによる入室を許可する構成とする設計変更を容易に行うことができる。このように、本発明では、スイッチ部が種々のセンサーや計測器を有し、それらの出力が所定の出力結果となったときに、所定の条件が満たされたと判断する構成とすることができる。
【００６２】
・変形例２
前記第１実施形態では、押しボタンスイッチ５０は、読取エリアＲＡにおけるループアンテナ２６のメインローブＭＬの範囲内に設けられていたが、これに替えて、読取エリアＲＡにおけるループアンテナ２６のサイドローブＳＬの範囲に設けるようにしてもよい。さらに、押しボタンスイッチ５０を、カバー４０の正面４０ａにおける読取エリアＲＡの外側に設けるようにしてもよいし、カバー４０の側面４０ｂに設けるようにしてもよい。要は、利用者によって操作可能で、かつ装置本体２０の有するＩＣチップ２２との間で通信可能であれば、押しボタンスイッチ５０は、カバー４０を含む筐体のいずれの位置に設ける構成としてもよい。また、前記第２実施形態では、押しボタンスイッチ２５０のアンテナコイル２５４は、読取エリアＲＡにおけるループアンテナ２２６のメインローブの範囲内に設けられていたが、これに替えて、読取エリアＲＡにおけるループアンテナ２２６のサイドローブＳＬの範囲に設けるようにしてもよい。さらに、アンテナコイル２５４を、カバー２４０の正面２４０ａにおける読取エリアＲＡの外側に設けるようにしてもよいし、カバー２４０の側面２４０ｂに設けるようにしてもよい。要は、装置本体２０の有するＩＣチップ２２との間で通信可能であれば、アンテナコイル２５４は、カバー４０を含む筐体のいずれの位置に設ける構成としてもよい。
【００６３】
・変形例３
前記第１ないし第３実施形態では、押しボタンスイッチ５０は「警備」を指定するためのものであったが、これに換えて、警備を解錠するためのものとしてもよい。また、警備についての指定に限る必要もなく、例えば、室内の照明等の機器のオン／オフの指示、ＩＣカードに記録されるチャージ額の入金・出金の指示、ＩＣカードに記録されるポイントの還元の指示、等種々の用途のためのスイッチに換えることができる。
【００６４】
・変形例４
前記第１ないし第３実施形態では、押しボタンスイッチを一つだけ備える構成としたが、これに換えて、複数の押しボタンスイッチを備える構成としてもよい。この場合には、各押しボタンスイッチが、ＩＣチップとアンテナコイルとスイッチ本体とをそれぞれ備えるようにする。また、この構成に換えて、アンテナコイルは一つだけ備え、ＩＣチップとスイッチ本体との各組を、上記一つのアンテナコイルに並列に接続する構成としてもよい。各ＩＣチップに記憶されている識別データが異なっていることから、アンテナコイルを共通化しても、どのスイッチ本体が操作されたかを判別することができる。また、複数の押しボタンスイッチを備える場合に、それらの押しボタンスイッチがいずれの順にオンされたかを判定して、所定の順序でオンされた場合に限り、解錠できる構成とすることもできる。
【００６５】
・変形例５
前記第１ないし第３実施形態では、押しボタンスイッチの備える操作部の形状は、凸型としたが、これに換えて、周囲からボタンが飛び出さない平型や、へこんでいる凹型、タッチパネルのタイプ等としてもよい。また、操作部は、トグルスイッチなどでもよい。このように、操作部は種々のタイプのスイッチとすることができる。
【００６６】
・変形例６
前記各実施形態では、押しボタンスイッチやバイメタルのスイッチが、カバーもしくは装置本体の筺体に両面テープ等によって固設された構成としたが、これに換えて、例えば、カバー等にポケット部を形成して、ポケット部にスイッチを収納可能な構成とすることで、取り外しが容易な構成としてもよい。この構成によれば、設計変更をより容易に行うことができる。また、押しボタンスイッチやバイメタルのスイッチが、カバーに埋め込まれた構成としてもよい。
【００６７】
・変形例７
前記各実施形態では、ＩＣカードを個人を識別するためのＩＤカードとしたが、これに換えて、クレジットカード、キャッシュカード、交通系カード、各種の証明カード等としてもよい。また、カードリーダの用途としても、オフィスへの入退室を管理する入退室管理システムに用いるものに限る必要はなく、様々なシステムに用いることができる。
【００６８】
・変形例８
非接触型ＩＣカードは、通信距離に応じて「密着型（Close coupled）」「近接型（Proximity）」「近傍型（Vicinity）」「遠隔型」に分類できるが、前記各実施形態で用いられるＩＤカードは、いずれのタイプの非接触型ＩＣカードとすることもできる。
【００６９】
・変形例９
前記各実施形態では、スイッチ部が備えるＲＦタグを、電池を内蔵する必要がないパッシブ型のものとしたが、これに換えて、電池を内蔵するアクティブ型や、セミアクティブ型のものとしてもよい。
【００７０】
なお、前述した実施形態および各変形例における構成要素の中の、独立請求項で記載された要素以外の要素は、付加的な要素であり、適宜省略可能である。
【符号の説明】
【００７１】
１０…カードリーダ
２０…装置本体
２０ａ…正面側板部
２０ｂ…側面側板部
２０ｃ…背面板部
２２…ＩＣチップ
２４…回路基板
２６…ループアンテナ
４０…カバー
４０ａ…正面
４０ｂ…側面
５０…押しボタンスイッチ
５１…ＲＦタグ
５２…ＩＣチップ
５２ａ…ＣＰＵ
５２ｂ…メモリ
５２ｃ…無線部
５２ｄ…電源整流部
５４…アンテナコイル
５６…スイッチ本体
５８…操作部
７０…ＩＤカード
７２…ＩＣチップ
７４…アンテナコイル
１１０…カードリーダ
１２０…装置本体
１２４…回路基板
１４０…カバー
１５０…押しボタンスイッチ
１５２…ケーブル
１６０…孔
１６２…部品
１７０…ゴムパッキン
２１０…カードリーダ
２２０…装置本体
２２６…ループアンテナ
２４０…カバー
２５０…押しボタンスイッチ
２５４…アンテナコイル
２５８…本体部
２５９…電線
３１０…カードリーダ
３６０…差し込み口
３６２…壁面
３７０…ＩＣカード
４５０…温度スイッチ
４５６…スイッチ本体
４５８…バイメタル
ＲＡ…読取エリア
【図１】
0006413458.tif 000002
【図２】
0006413458.tif 000003
【図３】
0006413458.tif 000004
【図４】
0006413458.tif 000005
【図５】
0006413458.tif 000006
【図６】
0006413458.tif 000007
【図７】
0006413458.tif 000008
【図８】
0006413458.tif 000009
【図９】
0006413458.tif 000010